(57)【要約】【課題】収納した家電製品にキッチンおよびダイニングルームの両側からアクセスすることができ、キッチンまたはダイニングルームの少なくともいずれか一方または両方に引き出して使用することができ、家電製品の収納時の外観を良好とするとともに、家電製品から発生する蒸気や熱気を外部に排気する。【解決手段】前後方向に開口した箱状の家電収納部５において側板８の内側面に電気コンセント９が設けられ、家電収納部の上部に換気装置１０が設けられ、家電収納部の下部に前後方向にスライド自在なスライド棚１５が設けられ、家電収納部の前面開口部を開閉する前扉２４が設けられ、家電収納部の後面開口部を開閉する後扉３４が設けられている。【選択図】図１
2008126001.tif 000002
【特許請求の範囲】
【請求項１】
キッチンとダイニングルームとを仕切る対面式収納キャビネットであって、天板、底板および左右の両側板から形成され、前後方向に開口した箱状の家電収納部を有し、家電収納部において側板の内側面に電気コンセントが設けられ、家電収納部の上部に換気装置が設けられ、家電収納部の下部に、前後方向にスライド自在で、家電収納部からキッチンまたはダイニングルームの少なくともいずれか一方または両方に引き出し可能な家電製品を載せるスライド棚が設けられ、家電収納部のキッチン側の前面開口部を開閉する前扉が設けられ、家電収納部のダイニングルーム側の後面開口部を開閉する後扉が設けられていることを特徴とする対面式収納キャビネット。
【請求項２】
スライド棚と底板との間に前扉収納部が形成され、前扉は、前扉収納部に引き出し自在に収納され、収納時にスライド棚に重複して配置され、前扉収納部から引き出した状態で上下方向に回動自在であることを特徴とする請求項１に記載の対面式収納キャビネット。
【請求項３】
後扉は、上下方向に回動して家電収納部のダイニングルーム側の後面開口部を開閉することを特徴とする請求項１または２に記載の対面式収納キャビネット。
【発明の詳細な説明】
【技術分野】
【０００１】
本発明は、キッチンとダイニングルームとを仕切り、炊飯ジャー、ジャーポット、コーヒーメーカーなどの家電製品を収納する対面式収納キャビネットに関する。
【背景技術】
【０００２】
従来、キッチンとダイニングルームとを腰壁状の仕切り体により区分し、仕切り体の上方が開放された対面式厨房装置が知られている。対面式厨房装置は、調理などの作業を行う者がダイニングルームにいる者と会話を楽しみながら作業を行うことができ、また、配膳および後片付けに際して食器をカウンター越しにキッチンとダイニングルームとの間を受け渡し、作業動線を短くすることができるものとして注目されている。
【０００３】
このような対面式厨房装置については、使い勝手を向上させるものとして、仕切り体において前後方向に開口する物品の収容空間を有する物品収容部に物品の載置台がキッチン側およびダイニングルーム側のいずれにも張り出し可能に設けられ、物品収容部のダイニングルーム側に物品収容部を開閉する蓋体が設けられた対面式厨房装置が提案されている（特許文献１）。
【０００４】
上記対面式厨房装置では、キッチンで炊飯ジャーやジャーポットなどの物品を載置台に載置してダイニングルーム側に押し出し、載置台をダイニングルーム側に張り出させることにより、人が物品を持ち運ぶ距離を最小限に抑え、能率よく物品の移動を行うことができ、使い勝手が向上している。
【０００５】
また、上記対面式厨房装置には、物品収納部を形成する天板に蒸気逃がし口が設けられ、蓋体により収容空間を閉止した状態において炊飯ジャーやジャーポットなどの物品から発生する蒸気を蒸気逃がし口から外部に逃がすことができ、蒸気が発生する家電製品を安全に使用することができるようにしてもいる。
【特許文献１】特開２００２−１０１９７９号公報
【発明の開示】
【発明が解決しようとする課題】
【０００６】
一方、厨房装置を対面式とせずに、キッチンの壁際に配置し、上端が天井付近に配置される収納キャビネットによってキッチンとダイニングルームとを仕切る場合、炊飯ジャー、ジャーポット、コーヒーメーカーなどの家電製品は収納キャビネットに収納すると都合がよいが、この場合、収納キャビネットにおいて家電製品を使い勝手を考慮してどのように収納し、また、家電製品から発生する蒸気や熱気をどのように排気するかについて十分検討する必要がある。
【０００７】
本発明は、以上の通りの事情に鑑みてなされたものであり、収納した家電製品にキッチンおよびダイニングルームの両側からアクセスすることができ、キッチンまたはダイニングルームの少なくともいずれか一方または両方に引き出して使用することができ、収納時に家電製品を露出させずに外観を良好とするとともに、家電製品の作動にともなって発生する蒸気や熱気を外部に排気することのできる対面式収納キャビネットを提供することを課題としている。
【課題を解決するための手段】
【０００８】
本発明の対面式収納キャビネットは、上記の課題を解決するために、以下のことを特徴としている。
【０００９】
第１には、キッチンとダイニングルームとを仕切る対面式収納キャビネットであって、天板、底板および左右の両側板から形成され、前後方向に開口した箱状の家電収納部を有し、家電収納部において側板の内側面に電気コンセントが設けられ、家電収納部の上部に換気装置が設けられ、家電収納部の下部に、前後方向にスライド自在で、家電収納部からキッチンまたはダイニングルームの少なくともいずれか一方または両方に引き出し可能な家電製品を載せるスライド棚が設けられ、家電収納部のキッチン側の前面開口部を開閉する前扉が設けられ、家電収納部のダイニングルーム側の後面開口部を開閉する後扉が設けられている。
【００１０】
第２には、上記第１の特徴において、スライド棚と底板との間に前扉収納部が形成され、前扉は、前扉収納部に引き出し自在に収納され、収納時にスライド棚に重複して配置され、前扉収納部から引き出した状態で上下方向に回動自在である。
【００１１】
第３には、上記第１または第２の特徴において、後扉は、上下方向に回動して家電収納部のダイニングルーム側の後面開口部を開閉する。
【発明の効果】
【００１２】
上記第１の発明によれば、電気コンセントに電気コードを接続し、家電製品をスライド棚に載せて家電収納部に収納することができる。家電収納部に収納された家電製品には、キッチンおよびダイニングルームの両側からアクセスすることができ、前扉または後扉を開け、スライド棚をキッチンまたはダイニングルームに引き出して使用することができる。収納時には、家電製品が露出することのないように、家電収納部のキッチン側の前面開口部およびダイニングルーム側の後面開口部を前扉および後扉により閉止して家電製品を隠すことができ、外観が良好となる。また、収納時に家電製品を作動させても発生する蒸気や熱気は換気装置により外部に排気することができ、蒸気や熱気が家電収納部にこもることはない。
【００１３】
上記第２の発明によれば、上記第１の発明の効果に加え、開けた前扉は、スライド棚と家電収納部を形成する底板との間の前扉収納部にスライド棚に重複してコンパクトに収納することができ、スライド棚を前扉と干渉せずに引き出すことができる。スライド棚の引き出し操作は容易である。
【００１４】
上記第３の発明によれば、上記第１または第２の発明の効果に加え、スライド棚の引き出しは後扉とも干渉せず、スライド棚の引き出し操作は容易である。
【発明を実施するための最良の形態】
【００１５】
図１は、本発明の対面式収納キャビネットの一実施形態を概略的に示した断面図である。
【００１６】
対面式収納キャビネット１は、床Ｆ上に据え置かれ、上端が天井Ｃ付近に配置され、キッチンＫとダイニングルームＤとを仕切っている。天井Ｃとの間には突っ張り棒などの接天装置２が配設され、前後に傾倒することなく安定に据え置かれている。
【００１７】
対面式収納キャビネット１は、床Ｆ側に下部収納ユニット３を、天井Ｃ側に上部収納ユニット４を備え、下部収納ユニット３と上部収納ユニット４との間で人の手が届きやすい位置に家電収納部５を有している。家電収納部５は、天板６、底板７および左右の両側板８から形成され、前後方向に開口した箱状となっている。家電収納部５において一方の側板８の内側面に２口の電気コンセント９が設けられている。また、家電収納部５の上部には換気装置１０が設けられ、換気装置１０は天板６に接している。
【００１８】
換気装置１０は、図２に示したように、下面に吸込口１１を、キッチンＫ側の前面に吹出口１２を有し、吸込口１１と吹出口１２とを連通させる通気空間１３を備え、通気空間１３に排気ファンユニット１４を内蔵している。換気装置１０の操作部は換気装置１０の前面に設けられている。
【００１９】
図１に示したように、家電収納部５の下部には、前後方向にスライド自在で、家電収納部５からキッチンＫまたはダイニングルームＤのすくなくともいずれか一方または両方に引き出し可能な、炊飯ジャー、ジャーポット、コーヒーメーカーなどの家電製品を載せるスライド棚１５が設けられている。スライド棚１５には、図３＜ａ＞に示したように、左右両側端部にレール溝１６が形成され、レール溝１６に、家電収納部５を形成する左右の両側板８の下部内側面に配設された図３＜ｂ＞に示したようなレール１７が嵌合し、スライド棚１５の前後方向のスライドが自在となっている。レール１７の構成については特に制限されず、スライド棚１５をキッチンＫまたはダイニングルームＤのいずれか一方または両方に引き出すことのできる種々のものが採用可能である。
【００２０】
なお、スライド棚１５にはロック機構１８を設けることができる。ロック機構１８は、スライド棚１５をキッチンＫまたはダイニングルームＤに引き出した状態に保持するものである。ロック機構１８は、スライド棚１５の前後両端縁部から垂下する下垂片１９と、側板８においてレール１７の下方に配設され、側板８の前後方向に移動可能なころ２０とを有するものとすることができる。下垂片１９は、スライド棚１５の裏面に直に設けることができる他、図３＜ａ＞に示したように、スライド棚１５の裏面に重合させて取り付けることのできる、スライド棚１５と同一な平面形状を有する板体２１の前後両端縁部に一体に設けることができる。ころ２０は、図３＜ｂ＞に示したように、側板８にその前後方向に延び、所定の長さを有する凹部２２内で転動し、側板８の前後方向に移動可能とすることができる。ころ２０は、凹部２２の前後いずれか一方の端部に接触すると、停止する。ころ２０には、図４に示したように、家電収納部５の内側に向かって突出する突部２３が設けられる。突部２３は下垂片１９に接触可能であり、突部２３が下垂片１９に接触すると、下垂片１９にともなわれてころ２０が側板８の前後に移動し、図５に示したように、ころ２０が凹部２２の前後いずれか一方の端部に接触すると、ころ２０が停止し、スライド棚１５のそれ以上の移動を規制する。したがって、スライド棚１５はロックされ、キッチンＫまたはダイニングルームＤのいずれか一方に引き出された状態に保持される。図３＜ａ＞＜ｂ＞−図５に示したスライド棚１５は、キッチンＫおよびダイニングルームＤの両側への引き出しが可能となっている。
【００２１】
ロック機構１８には、上記の通りの下垂片１９およびころ２０を有するもの以外にも、スライド棚１５をキッチンＫまたはダイニングルームＤに引き出した状態に保持することができるような種々の構成を有するものを適宜採用することができる。
【００２２】
また、図１に示したように、家電収納部５のキッチンＫ側の前面開口部には家電収納部５を開閉する前扉２４が設けられている。前扉２４は、スライド棚１５と底板７との間に形成された前扉収納部２５に引き出し自在に収納されるものであり、収納時にスライド棚１５に重複して収納される。また、前扉２４は、前扉収納部２５から引き出した状態で回動自在とされ、家電収納部５のキッチンＫ側の前面開口部を開閉する。このような前扉２４のスライドおよび回動を自在とするために、図２および図６に示したようなスライド回動機構２６が採用されている。
【００２３】
スライド回動機構２６は、家電収納部５を形成する左右の両側板８の下部内側面に、図３＜ｂ＞に示したレール１７より下方に配設されたスライド用レール２７と、スライド用レール２７に走行自在に嵌め込まれたころ２８を有し、前扉２４の下端部が回動自在に取り付けられたスライド部材２９とから構成されている。
【００２４】
スライド部材２９は、左右方向に細長い部材であり、左右両端部に軸部３０が架設され、前扉２４の下端部に設けられた軸受け部３１に軸部３０が回動自在に嵌め込まれている。軸受け部３１は、前扉２４の下端部に設けられた回動支持部３２において前扉２４の裏面側に突設された突部３３に孔を形成することによって形成されている。
【００２５】
このようなスライド回動機構２６により、前扉２４は、スライド部材２９の軸部３０を中心として上下方向に回動する。前扉２４を下方に回動させることによって家電収納部５が開き、水平に配置した時、回動支持部３２の上面部がスライド部材２９の下面に当接し、前扉２４は水平状態に保持される。水平状態において前扉２４を後方に押し込むことにより、スライド部材２９はスライド用レール２７に沿って後方に移動し、スライド棚１５の直下の前扉収納部２５に前扉２４をスライド棚１５に重複させて収納することができる。収納状態の前扉２４は、キッチンＫ側に向かって引き出すことにより、スライド部材２９がスライド用レール２７に沿って前方に移動し、前扉２４を家電収納部５からキッチンＫ側に引き出すことができる。このように引き出した状態において前扉２４を上方に回動させ、起立させることによって、図１に示したように、家電収納部５のキッチンＫ側の前面開口部を閉止することができ、前扉２４の下端部はスライド棚１５の前端面を覆い隠す。前扉２４は、マグネット、ローラーキャッチなどによって閉状態を維持することができる。
【００２６】
さらに、図１に示したように、対面式収納キャビネット１には、家電収納部５のダイニングルームＤ側の後端開口部を開閉する後扉３４が設けられている。後扉３４は跳ね上げ式となっている。図７に示したように、家電収納部５を形成する左右の両側板８のそれぞれに左右一対のアーム３５が一端部において回動自在に接続され、アーム３５の他端部が後扉３４の裏面下端部において左右それぞれの側に回動自在に接続している。後扉３４の表面側の下端部中央には取っ手３６が設けられている。取っ手３６を掴んで上方に引き上げると、後扉３４は上方に回動し、家電収納部５のダイニングルームＤ側の後端開口部を開けることができる。
【００２７】
以上の通りの対面式収納キャビネット１では、たとえば図６に示したように、炊飯ジャー、ジャーポット、コーヒーメーカーなどの家電製品３７を家電収納部５に収納する際には、前扉２４を下方に回動させ、家電収納部５のキッチンＫ側の前面開口部を開け、前扉２４を水平状態にしたまま、または前扉２４を後方に押し込み、前扉収納部２５に収納した状態でスライド棚１５をキッチンＫ側に引き出し、または引き出さずに、家電製品３７をスライド棚１５上に載置する。電気コード３８を家電収納部５の内部に引き込み、先端のプラグ３９を電気コンセント９に接続する。電気コンセント９は電源線に接続されており、家電製品３７に電力を供給することができる。そして、スライド棚１５を引き出した場合にはスライド棚１５を家電収納部５の内部に押し込むことによって、家電製品３７を家電収納部５に収納することができる。
【００２８】
家電製品３７の収納時には、図８に示したように、家電収納部５のキッチンＫ側の前面開口部は前扉２４によって閉止することができ、ダイニングルームＤ側の後面開口部は後扉３４によって閉止することができ、家電製品３７は露出せず、外観が良好となる。収納時に家電製品３７を作動させる際には、換気装置１０を操作部において操作し、作動させる。家電製品３７から発生する蒸気や熱気は、吸込口１１から吸い込まれ、吹出口１２から家電収納部５の外部に排気することができる。したがって、蒸気や熱気が家電収納部５にこもることはない。
【００２９】
家電収納部５に収納した家電製品３７には、キッチンＫおよびダイニングルームＤの両側からアクセスすることができ、前扉２４を開けることによって、図９に示したように、スライド棚１５をキッチンＫ側に引き出し、使用することができる。また、後扉３４を開けることによってダイニングルームＤ側に引き出し、使用することができる。作業動線が短くなり、対面式収納キャビネット１は使い勝手に優れている。
【００３０】
開けた前扉２４は、スライド棚１５と家電収納部５を形成する底板７との間に形成された前扉収納部２５にスライド棚１５に重複してコンパクトに収納することができ、また、水平状態に維持して配置することができ、スライド棚１５を前扉２４と干渉せずにキッチンＫ側に引き出すことができる。開けた後扉３４は上方に跳ね上がっているので、スライド棚１５は後扉３４とも干渉せずにダイニングルームＤ側に引き出すことができる。スライド棚１５のキッチンＫおよびダイニングルームＤ側への引き出し操作は容易である。
【００３１】
また、前扉２４および後扉３４はともに上下方向に回動するので、家電収納部５の左右方向の有効寸法を大きく取ることができるとともに、前扉２４および後扉３４の開閉は、壁や他の収納キャビネットの存在によって支障を受けることなく、確実に行うことができる。
【００３２】
このように、キッチンＫとダイニングルームＤとを仕切り、家電製品３７を収納することのできる対面式収納キャビネット１が提供される。対面式収納キャビネット１では作業動線が短くなっており、使い勝手に優れる。
【００３３】
なお、図２、図６−図８には、スライド棚１５をキッチンＫまたはダイニングルームＤのいずれか一方に引き出せる具体例を示し、図３＜ａ＞＜ｂ＞−図５には、スライド棚１５をキッチンＫおよびダイニングルームＤの両方に引き出せる具体例を示している。
【図面の簡単な説明】
【００３４】
【図１】本発明の対面式収納キャビネットの一実施形態を概略的に示した断面図である。
【図２】前扉を下方に回動させ、家電収納部のキッチン側の前面開口部を開けた状態を示した要部断面図である。
【図３】＜ａ＞＜ｂ＞は、それぞれ、スライド棚をスライド自在にするレール溝およびレールをロック機構とともに示した斜視図である。
【図４】ロック機構を示した要部断面図である。
【図５】ロック機構によるスライド棚のロック状態を示した要部断面図である。
【図６】家電製品をキッチン側から家電収納部に収納する際の状態および家電製品を家電収納部からキッチン側に引き出した状態を示した要部断面図である。
【図７】後扉を上方に回動させ、家電収納部のダイニングルーム側の後面開口部を開けた状態を示した要部断面図である。
【図８】家電収納部に収納した家電製品の作動時の状態を示した要部断面図である。
【図９】対面式収納キャビネットの使い勝手を示した平面図である。
【符号の説明】
【００３５】
１  対面式収納キャビネット
５  家電収納部
６  天板
７  底板
８  側板
９  電気コンセント
１０  換気装置
１５  スライド棚
２４  前扉
２５  前扉収納部
３４  後扉
３７  家電製品
Ｄ  ダイニングルーム
Ｋ  キッチン
【図１】
2008126001.tif 000003
【図２】
2008126001.tif 000004
【図３】
2008126001.tif 000005
【図４】
2008126001.tif 000006
【図５】
2008126001.tif 000007
【図６】
2008126001.tif 000008
【図７】
2008126001.tif 000009
【図８】
2008126001.tif 000010
【図９】
2008126001.tif 000011